(57)【特許請求の範囲】
【請求項１】
光源部と、
前記光源部から出射する光を反射する反射面を有する反射部と、
前記反射面の少なくとも一部を覆うように配置された光拡散性を有する透光部材とを備え、
前記透光部材は、当該透光部材の外面全体が前記光源部に向かって突出するように湾曲し、かつ、内部に光拡散材が分散された乳白色のパネル、表面に乳白色の光拡散膜が形成されたパネル、または、表面にドットパターンが印刷されたパネルであり、
前記反射部は、前記光源部を囲むように形成された入射口と、当該入射口から入射した光を反射する前記反射面と、前記反射面で反射した光が出射する出射口とを有する反射板である
照明器具。
【請求項２】
前記透光部材は、前記反射部を露出させないように配置されている
請求項１に記載の照明器具。
【請求項３】
前記透光部材は、前記光源部に対向する中央部分の拡散度合いが前記中央部分の周辺の周辺部分の拡散度合いよりも高くなるように構成されている
請求項１又は２に記載の照明器具。
【請求項４】
前記透光部材は、中央から周辺に向かって拡散度合いが減少するように構成されている
請求項１又は２に記載の照明器具。
【請求項５】
前記透光部材は、当該透光部材の外周端部が前記反射部の前記出射口の外周端部に接触するように配置されている
請求項１に記載の照明器具。
【請求項６】
当該照明器具は、天井の開口部に埋め込み配設されたダウンライトであって、
前記透光部材の外周端部は、前記開口部から天井面に沿って張り出すように構成されている
請求項１〜５のいずれか１項に記載の照明器具。
【請求項７】
前記透光部材の内面は、前記反射面に近接かつ対面している
請求項１〜６のいずれか１項に記載の照明器具。
【発明の詳細な説明】
【技術分野】
【０００１】
本発明は、照明器具に関し、特に、発光ダイオード（ＬＥＤ：Ｌｉｇｈｔ  Ｅｍｉｔｔｉｎｇ  Ｄｉｏｄｅ）等の発光素子を光源とする埋込型の照明器具に関する。
【背景技術】
【０００２】
従来、埋込型の照明器具として、例えば、ダウンライトのように天井に埋込配設されて下方に光を照射する天井埋込型照明器具、あるいは、地中に埋込配設されて上方に光を照射する地中埋込型照明器具等が知られている。例えば、特許文献１には、天井埋込型照明器具が開示されている。
【０００３】
この種の照明器具は、ＬＥＤ光源（光源部）と、ＬＥＤ光源からの光を内周面で反射させる反射板（反射部）とを備える。また、指向性の強いＬＥＤ光源の眩しさを緩和するために、ＬＥＤ光源の光出射側には、拡散性を有する透光部材が配置される。
【先行技術文献】
【特許文献】
【０００４】
【特許文献１】特開２０１１−２１０６２１号公報
【発明の概要】
【発明が解決しようとする課題】
【０００５】
しかしながら、従来の照明器具では、透光部材における輝度が高く、眩しく感じるという問題がある。また、従来の照明器具には、反射板全体が露出しているものもあるが、このような照明器具では、反射板の汚れの進行が速く、保守率の低下度合いが大きいという問題がある。
【０００６】
本発明は、このような問題を解決するためになされたものであり、輝度を抑え、かつ、保守率の低下を抑制できる照明器具を提供することを目的とする。
【課題を解決するための手段】
【０００７】
上記目的を達成するために、本発明に係る照明器具の一態様は、光源部と、前記光源部から出射する光を反射する反射部と、前記反射部の少なくとも一部を覆うように配置された光拡散性を有する透光部材とを備え、前記透光部材の外面は、前記光源部に向かって突出していることを特徴とする。
【０００８】
また、本発明に係る照明器具の一態様において、前記透光部材は、前記外面の少なくとも一部が湾曲するように構成されていてもよい。
【０００９】
この場合、前記透光部材は、前記外面全体が前記光源部に向かって突出するように湾曲していてもよい。
【００１０】
あるいは、前記透光部材は、前記外面のうち前記光源部に対向する中央部分が平面であり、かつ、前記外面のうち前記中央部分の周辺の周辺部分が湾曲面であるように構成されていてもよい。
【００１１】
また、本発明に係る照明器具の一態様において、前記透光部材は、前記反射部を露出させないように配置されていてもよい。
【００１２】
また、本発明に係る照明器具の一態様において、前記透光部材は、前記光源部に対向する中央部分の拡散度合いが前記中央部分の周辺の周辺部分の拡散度合いよりも高くなるように構成されていてもよい。
【００１３】
また、本発明に係る照明器具の一態様において、前記透光部材は、中央から周辺に向かって拡散度合いが減少するように構成されていてもよい。
【００１４】
また、本発明に係る照明器具の一態様において、前記反射部は、前記光源部を囲むように形成された入射口と、当該入射口から入射した光を反射する反射面と、前記反射面で反射した光が出射する出射口とを有する反射板であってもよい。
【００１５】
また、本発明に係る照明器具の一態様において、前記透光部材は、当該透光部材の外周端部が前記反射部の前記出射口の外周端部に接触するように配置されていてもよい。
【００１６】
また、本発明に係る照明器具の一態様において、当該照明器具は、天井の開口部に埋め込み配設されたダウンライトであって、前記透光部材の外周端部は、前記開口部から天井面に沿って張り出すように構成されていてもよい。
【発明の効果】
【００１７】
本発明によれば、透光部材における輝度を抑えることができるので眩しさを緩和できる。また、反射部の汚れの進行を抑制できるので保守率の低下を抑制することができる。つまり、本発明では、輝度の抑制と保守率低下の抑制との両立を図ることができる。
【図面の簡単な説明】
【００１８】
【図１Ａ】本発明の実施の形態１に係る照明器具を斜め下方から見たときの斜視図である。
【図１Ｂ】本発明の実施の形態１に係る照明器具の部分断面図である。
【図２】比較例１の照明器具の部分断面図である。
【図３】比較例２の照明器具の部分断面図である。
【図４Ａ】本発明の実施の形態２に係る照明器具を斜め下方から見たときの斜視図である。
【図４Ｂ】本発明の実施の形態２に係る照明器具の部分断面図である。
【図５Ａ】本発明の実施の形態３に係る照明器具を斜め下方から見たときの斜視図である。
【図５Ｂ】本発明の実施の形態３に係る照明器具の部分断面図である。
【図６Ａ】本発明の実施の形態４に係る照明器具を斜め下方から見たときの斜視図である。
【図６Ｂ】本発明の実施の形態４に係る照明器具の部分断面図である。
【図７】本発明の実施の形態５に係る照明器具の断面図である。
【図８】本発明の実施の形態６に係る照明器具の断面図である。
【図９】本発明の変形例１に係る照明器具における透光部材の断面図である。
【図１０】本発明の変形例２に係る照明器具における透光部材の平面図である。
【図１１】本発明の変形例３に係る照明器具における透光部材の平面図である。
【発明を実施するための形態】
【００１９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００２０】
なお、各図は、模式図であり、必ずしも厳密に図示されたものではない。また、各図において、実質的に同一の構成に対しては同一の符号を付しており、重複する説明は省略又は簡略化する。また、各断面図における一点鎖線の軸Ｊは、光源部、反射部及び透光部材の光軸を示しており、本明細書では鉛直方向である。なお、各部分断面図において、器具本体のみが部分断面として図示されている。
【００２１】
（実施の形態１）
まず、本発明の実施の形態１に係る照明器具１の構成について、図１Ａ及び図１Ｂを用いて説明する。図１Ａは、本発明の実施の形態１に係る照明器具を斜め下方から見たときの斜視図であり、図１Ｂは、同照明器具の部分断面図（光軸Ｊを通る断面図）である。
【００２２】
本実施の形態に係る照明器具１は、例えば住宅等の天井に埋込配設されることにより下方（床や地面、壁等）に光を照明するダウンライト等の埋込型照明器具である。
【００２３】
図１Ａ及び図１Ｂに示すように、照明器具１は、光源部１０と、光源部１０から出射する光を反射する反射部２０と、反射部２０の少なくとも一部を覆うように配置された光拡散性を有する透光部材３０とを備える。さらに、照明器具１は、器具本体４０と、枠体５０とを備える。以下、照明器具１の各構成部材について詳細に説明する。
【００２４】
［光源部］
光源部１０は、照明器具１の外部の電源ユニット（不図示）から供給される電力によって発光する。光源部１０は、例えば複数のＬＥＤを有するＬＥＤ光源（ＬＥＤモジュール）であり、例えば白色光を放出するように構成されている。
【００２５】
図１Ｂに示すように、本実施の形態における光源部１０は、基板１１と、基板１１に実装されたＬＥＤ１２と、ＬＥＤ１２を封止する封止部材１３とを備える。
【００２６】
基板１１は、ＬＥＤ１２を実装するための実装基板であって、例えば、セラミックス基板、樹脂基板又はメタルベース基板等である。なお、図示しないが、基板１１には、ＬＥＤ１２を発光させるための直流電力を外部から受電するための一対の電極端子と、ＬＥＤ１２を電気的に接続するための所定パターンの金属配線とが形成されている。
【００２７】
ＬＥＤ１２は、発光素子の一例であり、本実施の形態では、単色の可視光を発するベアチップである。ＬＥＤ１２は、例えば、通電されれば青色光を発する青色発光ＬＥＤチップである。ＬＥＤ１２は、例えば基板１１にマトリクス状に複数個配置されている。なお、ＬＥＤ１２は、少なくとも１つ配置されていればよい。
【００２８】
封止部材１３としては、例えば透光性樹脂が用いられる。本実施の形態における封止部材１３は、ＬＥＤ１２からの光を波長変換する波長変換材として蛍光体を含んでいる。封止部材１３は、例えば、シリコーン樹脂に蛍光体と光拡散材とを分散させた蛍光体含有樹脂である。蛍光体粒子としては、ＬＥＤ１２が青色光を発光する青色発光ダイオードである場合、白色光を得るために、例えばＹＡＧ系の黄色蛍光体を用いることができる。また。光拡散材としてはシリカ粒子等が用いられる。なお、封止部材１３は、全てのＬＥＤ１２を一括封止してもよいし、複数のＬＥＤ１２を列ごとにライン状に封止してもよいし、各ＬＥＤ１２を個別に封止してもよい。また、封止部材１３には蛍光体が含まれていなくてもよい。
【００２９】
［反射部］
図１Ｂに示すように、反射部２０は、光源部１０を囲むように形成された入射口２１と、当該入射口２１から入射した光を反射する反射面２２と、反射面２２で反射した光が出射する出射口２３とを有する反射板である。具体的には、反射部２０は、内径が入射口２１から出射口２３に向かって漸次大きくなるように、内面形状が漏斗状に構成されている。反射部２０は、例えば、枠体５０に嵌め込まれて枠体５０に固定される。
【００３０】
反射部２０は、例えばアルミニウム等の金属材料を用いて形成することができる。本実施の形態における反射部２０は、アルミダイキャスト製である。また、反射性を向上させるために反射部２０の内面に白色塗装等を施してもよい。なお、反射部２０としては、金属材料によって形成されたものではなく、ポリブチレンテレフタレート（ＰＢＴ）等の硬質の白色樹脂材料によって形成されたものを用いてもよいし、樹脂製の反射部２０の内面に反射面２２として銀やアルミニウム等の金属蒸着膜（金属反射膜）を形成したものを用いてもよい。
【００３１】
図１Ａ及び図１Ｂに示すように、本実施の形態における反射部２０は、透光部材３０によって完全に覆われており、照明器具１の外部に露出していない。つまり、反射部２０は、ユーザが視認できないような状態で配置されている。
【００３２】
［透光部材］
透光部材３０は、透光性を有する透光パネルであり、例えばアクリルやポリカーボネート等の透明樹脂材料又はガラス材料等の透光性材料によって構成された光学部材である。
【００３３】
透光部材３０は、さらに、光拡散性を有するように構成されている。本実施の形態では、光拡散性を有する透光部材３０として、光拡散材が内部に分散された乳白色の透光パネルを用いている。このような透光部材３０は、光拡散材を混合した透明樹脂材料を所定形状に樹脂成型することによって作製することができる。光拡散材としては、シリカ粒子等の光反射性粒子を用いることができる。
【００３４】
なお、光拡散性を有する透光部材３０は、内部に光拡散材を分散させるのではなく、透明パネルの表面（内面又は外面）に光拡散材等を含む乳白色の光拡散膜を形成することでも実現することができる。また、光拡散材を用いるのではなく、シボ加工等の表面処理を施すことで透明パネルの表面に微小凹凸を形成したり、透明パネルの表面にドットパターンを印刷したりすることでも光拡散性を有する透光部材３０を実現することができる。これらの場合、表面に凹凸又はドットパターンを形成した透明パネルに対してさらに光拡散材を含有させてもよい。また、表面が平坦なパネルに表面処理を施して凹凸を形成するのではなく、凹凸を有する型を用いた樹脂成型によって表面に凹凸を有する透明パネルを形成してもよい。
【００３５】
図１Ａ及び図１Ｂに示すように、透光部材３０は、光源部１０と対向する位置に配置されており、光源部１０からの光を透過する。透光部材３０は光拡散性を有するので、透光部材３０に入射した光は、透光部材３０内で拡散及び透光部材３０内を導光して透光部材３０を透過して出射する。つまり、透光部材３０は、指向性の強いＬＥＤ光源の光を拡散及び導光させるので、当該透光部材３０全体が擬似発光する発光部として機能する。
【００３６】
透光部材３０は、外面が光源部１０に向かって突出するように構成されている。具体的には、透光部材３０の外面の中央部が最も光源部１０に近づくように、透光部材３０は光源部１０に向かって突出するように構成されている。
【００３７】
また、透光部材３０は、外面の少なくとも一部が湾曲するように構成されており、本実施の形態では、反射部２０を覆う部分の外面全体が光源部１０に向かって突出するように湾曲している。つまり、透光部材３０の反射部２０を覆う部分の外面は湾曲面となっている。具体的には、透光部材３０は、軸Ｊを軸とする回転対称形状であり、その外面は、連続する滑らかな湾曲面で構成された略椀状である。
【００３８】
本実施の形態において、透光部材３０の厚さは、ほぼ一定である。したがって、透光部材３０の内面は、外面と同様の形状となっており、光源部１０に向かって突出するように湾曲している。また、透光部材３０の外面及び内面は、反射部２０の反射面２２に近づくように構成されている。図１Ｂに示すように、透光部材３０の内面と反射部２０の反射面２２とは、近接かつ対面している。
【００３９】
さらに、透光部材３０は、反射部２０を照明器具１の外部に露出させないように配置されている。本実施の形態において、透光部材３０は、当該透光部材３０の環状の外周端部が反射部２０の出射口２３の環状の外周端部に沿って接触するように配置されている。具体的には、透光部材３０は、反射部２０を密閉するように配置されており、反射部２０の出射口２３は透光部材３０によって閉塞されている。つまり、反射部２０は、透光部材３０によって隠れている。なお、透光部材３０は、当該透光部材３０の外周端部と反射部２０の出射口２３の外周端部とを固定させることで、反射部２０に固定されている。
【００４０】
［器具本体］
器具本体４０は、照明器具１の外郭をなす筐体であるとともに光源部１０が取り付けられる取付台である。光源部１０は、器具本体４０に支持されて当該器具本体４０に固定される。
【００４１】
また、器具本体４０は、光源部１０で発生する熱を放熱するヒートシンクとしても機能する。本実施の形態では、放熱性を良くするために、器具本体４０の上部（天井側部分）には、上方に向かって突出する複数の放熱フィンが設けられている。
【００４２】
このように構成される器具本体４０は、金属材料を用いて形成されており、本実施の形態ではアルミダイカスト製である。
【００４３】
［枠体］
枠体５０は、照明器具１の外郭をなす筐体であり、反射部２０を囲むように筒状に構成されている。枠体５０は、例えば略円筒形状である。枠体５０の下端部には、径方向の外向きに突出するフランジ５１が周方向に亘って形成されている。
【００４４】
照明器具１を天井の開口部に配設する際、枠体５０のフランジ５１を天井面に係止させて照明器具１を天井に固定する。
【００４５】
［作用効果］
次に、本実施の形態に係る照明器具１の作用効果について、図２及び図３を用いて比較例の照明器具と比較しながら説明する。図２は、比較例１の照明器具の部分断面図であり、図３は、比較例２の照明器具の部分断面図である。
【００４６】
眩しさを低減させる一般的な手法として、図２に示すような構成が考えられる。図２に示す比較例１の照明器具１００では、光拡散性を有する小椀状の透光部材１３０を器具本体４０から反射部２０の入射口２１に向かって（光源部１０側とは反対側に）突出するように設けた構成となっている。
【００４７】
しかしながら、図２に示す比較例１の照明器具１００では、反射部２０全体が露出しているので、反射部２０の汚れの進行が速くなる。このため、光束維持率の低下度合いが大きくなり、保守率の低下度合いも大きくなる。さらに、比較例１の照明器具１００では、透光部材１３０の発光面積に限界がある。また、透光部材１３０は光源部１０側とは反対側に突出しているので、発光面積の限界を超えるように透光部材１３０を構成すると、透光部材１３０が天井から飛び出すこととなり、意匠性が悪くなる。
【００４８】
そこで、図３に示すような構成も考えられている。図３に示される比較例２の照明器具２００では、反射部２０を覆うように、光拡散性を有する平板形状の透光部材２３０を設けた構成となっている。
【００４９】
しかしながら、図３に示す比較例２の照明器具２００は、比較例１の照明器具１００よりも輝度を抑えることができるが、平面状の透光部材２３０では、その面積に限界がある。さらに、図３に示す比較例２の照明器具２００では、平面状の透光部材２３０を用いているので、意匠的な埋込型照明器具に特有の立体感に欠けるという問題がある。
【００５０】
一方、図１Ｂに示すように、本実施の形態における照明器具１では、透光部材３０の外面が光源部１０に向かって突出しており、透光部材３０は、ユーザ側とは反対側に突出している。これにより、比較例１の照明器具２００と比べて、透光部材３０における擬似発光の発光面積を大きくすることができる。したがって、透光部材３０における輝度を抑制することができるので、眩しさを緩和することができる。
【００５１】
さらに、本実施の形態における照明器具１では、透光部材３０が反射部２０を覆うように配置されているので、反射部２０が露出している場合と比べて反射部２０の汚れの進行を抑制することができる。これにより、光束維持率の低下度合いを抑制することができるので、保守率の低下度合いも抑制できる。
【００５２】
このように、本実施の形態における照明器具１では、外面が光源部１０に向かって突出し、かつ、反射部２０を覆うように配置された光拡散性を有する透光部材３０を備えているので、輝度の抑制と保守率低下の抑制との両立を図ることができる。
【００５３】
しかも、本実施の形態における照明器具１では、天井から下方にはみ出している箇所が少なく、また、透光部材３０も天井面から下方に突出していない。さらに、消灯時には天井に馴染む構成となっている。このように、照明器具１は、少ない造形で構成されており、すっきりと見える形態となっている。さらに、本実施の形態における照明器具１では、透光部材３０がユーザ側とは反対側に突出しているので、意匠的な埋込型照明器具に特有の立体感を感じさせることができる。
【００５４】
また、本実施の形態において、透光部材３０は、外面全体が光源部１０に向かって突出するように湾曲しているので、透光部材３０における輝度を一層抑制することができる。しかも、透光部材３０は、反射部２０全体を露出させないように配置されているので、保守率の低下度合いを一層抑制できる。
【００５５】
（実施の形態２）
次に、本発明の実施の形態２に係る照明器具２について、図４Ａ及び図４Ｂを用いて説明する。図４Ａは、本発明の実施の形態２に係る照明器具を斜め下方から見たときの斜視図であり、図４Ｂは、同照明器具の部分断面図（光軸Ｊを通る断面図）である。
【００５６】
図４Ａ及び図４Ｂに示すように、本実施の形態における照明器具２も、実施の形態１と同様に、外面が光源部１０に向かって突出するように構成された光拡散性を有する透光部材３０Ａを備えている。
【００５７】
本実施の形態における照明器具２が実施の形態１における照明器具１と異なる点は、実施の形態１では透光部材３０が反射部２０全体を隠すように配置されていたのに対して、本実施の形態では透光部材３０Ａが反射部２０の一部を隠すように配置されている点である。つまり、実施の形態１では、透光部材３０が反射部２０を密閉して覆うように配置されており反射部２０全体が露出しないようになっていたが、本実施の形態では、反射部２０の一部が露出している。
【００５８】
以上、本実施の形態における照明器具２についても、実施の形態１と同様の効果が得られる。
【００５９】
つまり、透光部材３０Ａの外面が光源部１０に向かって突出しているので、透光部材３０Ａにおける輝度を抑制することができ、眩しさを緩和できる。
【００６０】
また、透光部材３０Ａが反射部２０の一部を覆うように配置されているので、反射部２０全体が露出している場合と比べて反射部２０の汚れの進行を抑制することができ、保守率の低下度合いを抑制できる。但し、実施の形態１のように、反射部２０全体を隠す方が保守率の低下度合いを抑制する効果は大きい。
【００６１】
また、本実施の形態における照明器具２についても、少ない造形で構成されており、すっきりと見えるとともに、埋込型照明器具に特有の立体感を感じさせることもできる。
【００６２】
なお、本実施の形態は、以下の実施の形態にも適用することができる。
【００６３】
（実施の形態３）
次に、本発明の実施の形態３に係る照明器具３について、図５Ａ及び図５Ｂを用いて説明する。図５Ａは、本発明の実施の形態３に係る照明器具を斜め下方から見たときの斜視図であり、図５Ｂは、同照明器具の部分断面図（光軸Ｊを通る断面図）である。
【００６４】
図５Ａ及び図５Ｂに示すように、本実施の形態における照明器具３も、実施の形態１と同様に、外面が光源部１０に向かって突出するように構成された光拡散性を有する透光部材３０Ｂを備えている。
【００６５】
本実施の形態における照明器具３が実施の形態１における照明器具１と異なる点は、実施の形態１では、透光部材３０の外周端部が枠体５０の内面に接触しており天井面に沿って張り出していなかったのに対して、本実施の形態では、透光部材３０Ｂの外周端部が天井の開口部から天井面に沿って張り出すように構成されている。
【００６６】
さらに、本実施の形態では、実施の形態１と異なり、透光部材３０Ｂは、外面のうち光源部１０に対向する中央部分が平面であり、かつ、外面のうち中央部分の周辺の周辺部分が湾曲面となっている。
【００６７】
本実施の形態では、枠体５０が設けられておらず、反射部２０に設けられたフランジ２４によって照明器具３が天井に固定されている。フランジ２４は、反射部２０の下端部に径方向の外向きに突出するように、かつ、周方向に亘って形成されている。照明器具３を天井の開口部に配設する際、反射部２０のフランジ２４を天井面に係止させて照明器具３を天井に固定する。
【００６８】
透光部材３０Ｂの外周端部には、フランジ３１が形成されている。フランジ３１は、径方向の外向きに突出するように、かつ、周方向に亘って形成されている。照明器具３を天井に配設した場合、透光部材３０Ｂのフランジ３１は、反射部２０のフランジ２４を覆うようにして天井面に沿って張り出す。なお、本実施の形態では、透光部材３０Ｂのフランジ３１は、反射部２０のフランジ２４を越えて延設されている。
【００６９】
以上、本実施の形態における照明器具３についても、実施の形態１と同様の効果が得られる。
【００７０】
つまり、透光部材３０Ｂの外面が光源部１０に向かって突出しているので、透光部材３０Ｂにおける輝度を抑制することができ、眩しさを緩和できる。
【００７１】
しかも、本実施の形態では、透光部材３０Ｂの外周端部に天井の開口部から天井面に沿って張り出すフランジ３１が形成されているので、実施の形態１と比べて、透光部材３０Ｂにおける擬似発光の発光面積を一層大きくすることができる。したがって、実施の形態１よりも、透光部材３０Ｂにおける輝度を抑制することができるので、眩しさを一層緩和することができる。
【００７２】
また、本実施の形態でも、実施の形態１と同様に、透光部材３０Ｂが反射部２０全体を覆うように配置されている。これにより、反射部２０の汚れの進行を抑制することができ、実施の形態１と同様に、保守率の低下度合いを抑制できる。
【００７３】
また、本実施の形態における照明器具３についても、少ない造形で構成されており、すっきりと見えるとともに、埋込型照明器具に特有の立体感を感じさせることもできる。
【００７４】
また、本実施の形態では、透光部材３０Ｂは、外面のうち光源部１０に対向する中央部分が平面でとなっている。これにより、中央部分までも光源部１０に突出させる場合と比べて、光源部１０と透光部材３０Ｂとの距離を大きくして光源部１０と透光部材３０Ｂとを遠ざけることができ、効果的に輝度を抑制することができる。
【００７５】
なお、本実施の形態は、他の実施の形態にも適用することができる。また、本実施の形態において、照明器具３は、反射部２０のフランジ２４によって天井に係止したが、実施の形態１と同様に、枠体５０を用いて、枠体５０のフランジ５１によって天井に係止してもよい。この場合、透光部材３０Ｂのフランジ３１は、枠体５０のフランジ５１を越えて延設されることになる。
【００７６】
（実施の形態４）
次に、本発明の実施の形態４に係る照明器具４について、図６Ａ及び図６Ｂを用いて説明する。図６Ａは、本発明の実施の形態４に係る照明器具を斜め下方から見たときの斜視図であり、図６Ｂは、同照明器具の部分断面図（光軸Ｊを通る断面図）である。
【００７７】
図６Ａ及び図６Ｂに示すように、本実施の形態における照明器具４も、実施の形態１と同様に、外面が光源部１０に向かって突出するように構成された光拡散性を有する透光部材３０Ｃを備えている。
【００７８】
本実施の形態における照明器具４が実施の形態１における照明器具１と異なる点は、実施の形態３と同様に、本実施の形態では、透光部材３０Ｃの外周端部が天井の開口部から天井面に沿って張り出すように構成されており、透光部材３０Ｃの外周端部が反射部２０のフランジ２４を覆うように当該フランジ２４を越えて延設されている点である。
【００７９】
また、本実施の形態では、透光部材３０Ｃの外面及び内面の曲率半径が、実施の形態１における透光部材３０の外面及び内面の曲率半径よりも大きくなっている。つまり、本実施の形態では、透光部材３０の湾曲の度合いが緩くなっている。
【００８０】
本実施の形態でも、実施の形態３と同様に、枠体５０が設けられておらず、反射部２０に設けられたフランジ２４によって照明器具３が天井に固定されている。
【００８１】
透光部材３０Ｃの外周端部は、反射部２０のフランジ２４を覆い隠す側壁部３２が形成されている。側壁部３２は、照明器具４を天井に配設したときに天井面に沿って張り出すように構成されているとともに、フランジ２４の側部を覆うように構成されている。
【００８２】
以上、本実施の形態における照明器具４についても、実施の形態１と同様の効果が得られる。
【００８３】
つまり、透光部材３０Ｃの外面が光源部１０に向かって突出しているので、透光部材３０Ｃにおける輝度を抑制することができ、眩しさを緩和できる。
【００８４】
しかも、本実施の形態では、実施の形態２と同様に、透光部材３０Ｃの外周端部に天井の開口部から天井面に沿って張り出す側壁部３２が形成されているので、実施の形態１よりも、透光部材３０Ｃにおける輝度を抑制することができ、眩しさを一層緩和できる。
【００８５】
この場合、本実施の形態では、側壁部３２が反射部２０のフランジ２４の側部までも覆うように形成されている。これにより、透光部材３０Ｃ内を導光した光が側壁部３２から天井面に沿って放出するので、照射範囲を広くすることができる。
【００８６】
また、本実施の形態でも、実施の形態１、２と同様に、透光部材３０Ｃが反射部２０全体を覆うように配置されているので、実施の形態１、２と同様、保守率の低下度合いを抑制できる。
【００８７】
また、本実施の形態における照明器具４についても、少ない造形で構成されており、すっきりと見えるとともに、埋込型照明器具に特有の立体感を感じさせることもできる。
【００８８】
また、本実施の形態では、透光部材３０Ｃの外面及び内面の曲率半径が、実施の形態１における透光部材３０の外面及び内面の曲率半径よりも大きくなっている。これにより、実施の形態１と比べて、光源部１０と透光部材３０Ｃとの距離を大きくして光源部１０と透光部材３０Ｃとを遠ざけることができ、効果的に輝度を抑制することができる。
【００８９】
なお、本実施の形態は、他の実施の形態にも適用することができる。また、本実施の形態でも、枠体５０を用いて照明器具４を天井に固定してもよい。この場合、透光部材３０Ｃのフランジ３１は、枠体５０のフランジ５１を越えて延設されることになる。
【００９０】
（その他の変形例等）
以上、本発明に係る照明器具について、実施の形態に基づいて説明したが、本発明は、これらの実施の形態に限定されるものではない。
【００９１】
例えば、透光部材は、全体として光源部１０に突出するようなものであれば、図７に示すように、一部に光源部１０とは反対側（下方側）に突出するような箇所があっても構わない。この場合、下方側に突出する部分は、例えば、図７に示すように、湾曲状に形成することができる。
【００９２】
また、上記実施の形態では、透光部材の周辺部分（側面）は湾曲面としたが、図８に示すように、周辺部分が階段状に構成された透光部材３０Ｅを用いてもよい。
【００９３】
また、上記実施の形態では、透光部材の厚みはほぼ一定としたが、透光部材の外面が光源部１０に向かって突出していれば、透光部材の厚みは一定ではなくてもよい。例えば、図９に示すように、外内面（光源部１０側の面）形状が平面で、かつ、外面形状が湾曲面である透光部材３０Ｆを用いてもよい。
【００９４】
また、上記実施の形態では、透光部材の拡散度合いは一定としたが、これに限らない。例えば、図１０に示される透光部材３０Ｇのように、中央から周辺に向かって拡散度合いが漸次減少するように構成されていてもよい。この場合、透光部材３０Ｇは、中央部分に拡散機能を持たせて、周辺部分には拡散機能を持たせないように構成することもできる。つまり、周辺部分を光拡散性を有さない光透過部とすることができる。なお、光透過部には、必要に応じて、光源部１０からの光に対して集光作用及び発散作用のレンズ機能を持たせてもよい。
【００９５】
あるいは、図１１に示される透光部材３０Ｈのように、光源部１０に対向する中央部分の拡散度合い（均一な拡散度合い）が中央部分の周辺の周辺部分の拡散度合い（均一な拡散度合い）よりも高くなるように構成されていてもよい。この場合、例えば、透光部材３０Ｆの中央部分に乳白色の光拡散膜を形成し（シルク印刷）、透光部材３０Ｈの周辺部分にドットパターンを形成してもよい。つまり、異なる拡散手段を複数用いて透光部材を構成してもよい。
【００９６】
また、上記実施の形態において、光源部１０は、青色ＬＥＤと黄色蛍光体とによって白色光を放出するように構成したが、これに限らない。例えば、赤色蛍光体及び緑色蛍光体を含有する蛍光体含有樹脂を用いて、これと青色ＬＥＤと組み合わせることによりに白色光を放出するように構成しても構わない。
【００９７】
また、上記実施の形態において、ＬＥＤ１２は、青色を発光するＬＥＤチップを用いたが、これに限らない。ＬＥＤ１２としては、青色以外の色を発光するＬＥＤチップを用いても構わない。例えば、ＬＥＤ１２として紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【００９８】
また、上記実施の形態において、光源部１０（ＬＥＤ光源）は基板１１上にＬＥＤチップを直接実装したＣＯＢ（Ｃｈｉｐ  Ｏｎ  Ｂｏａｒｄ）構造としたが、これに限らない。例えば、ＣＯＢ型のＬＥＤ光源に代えて、ＳＭＤ（Ｓｕｒｆａｃｅ  Ｍｏｕｎｔ  Ｄｅｖｉｃｅ）構造のＬＥＤ光源を用いても構わない。ＳＭＤ構造のＬＥＤ光源は、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、基板に実装した構成のものである。
【００９９】
また、上記実施の形態では、発光素子としてＬＥＤチップを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子、その他の固体発光素子を用いてもよい。
【０１００】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０１】
１  照明器具
１０  光源部
２０  反射部
２１  入射口
２２  反射面
２３  出射口
３０  透光部材
【図１Ａ】
0006048842.tif 000002
【図１Ｂ】
0006048842.tif 000003
【図２】
0006048842.tif 000004
【図３】
0006048842.tif 000005
【図４Ａ】
0006048842.tif 000006
【図４Ｂ】
0006048842.tif 000007
【図５Ａ】
0006048842.tif 000008
【図５Ｂ】
0006048842.tif 000009
【図６Ａ】
0006048842.tif 000010
【図６Ｂ】
0006048842.tif 000011
【図７】
0006048842.tif 000012
【図８】
0006048842.tif 000013
【図９】
0006048842.tif 000014
【図１１】
0006048842.tif 000015
【図１０】
0006048842.tif 000016